(57)【特許請求の範囲】
【請求項１】
内周側に抽選体の出入口を設けた抽選体収容室が環状に複数個連設された形状をなし、環状方向に回転可能に設けられた抽選体収容部と、
前記抽選体収容部を回転運動させる回転駆動部と、
前記回転運動によって、抽選体が収容された抽選体収容室の出入口が所定の投下位置に到来した際に、当該抽選体の当該出入口からの落下の防止及び許容を開閉状態によって切り替えるシャッター部と、
前記回転運動する前記抽選体収容部の内周面に沿って設けられ、前記投下位置以外での抽選体の落下を防止する落下防止部と、
前記シャッター部が開状態とされて前記投下位置で落下された抽選体を自然転動させ、前記複数の抽選体収容室の内、前記投下位置より下方の所定の落下位置に位置した抽選体収容室へ案内する抽選体案内部と、
前記抽選体案内部に案内され、前記落下位置に位置した際に抽選体が入った抽選体収容室を識別して抽選結果の判定処理を実行する抽選判定処理部と、
を備え、前記シャッター部が閉状態とされることで、前記回転運動によって、抽選体が入った抽選体収容室の展示がなされる抽選装置。
【請求項２】
内周側に抽選体の出入口を設けた抽選体収容室が環状に複数個連設された形状をなし、環状方向に回転可能に設けられた抽選体収容部と、
前記抽選体収容部を回転運動させる回転駆動部と、
前記回転運動によって、抽選体が収容された抽選体収容室の出入口が所定の投下位置に到来した際に、当該抽選体の当該出入口からの落下を防止する第１ポジションと当該落下を許容する第２ポジションとに位置を切り替え可能な移動阻止部を有するシャッター部と、
前記回転運動する前記抽選体収容部の内周面に沿って設けられ、前記投下位置以外での抽選体の落下を防止する落下防止部と、
前記投下位置で落下された抽選体を自然転動させ、前記複数の抽選体収容室の内、前記投下位置より下方の所定の落下位置に位置した抽選体収容室へ案内する抽選体案内部と、
前記抽選体案内部に案内され、前記落下位置に位置した際に抽選体が入った抽選体収容室を識別して抽選結果の判定処理を実行する抽選判定処理部と、
を備え、
前記第２ポジションは、抽選体が収容された抽選体収容室の出入口が前記投下位置に到来した際に当該抽選体の落下を許容する位置であって、当該出入口から落下した抽選体が前記抽選体案内部の案内方向へ自然転動することを遮断する位置であり、
前記移動阻止部が前記第２ポジションとされて抽選体の前記抽選体案内部の案内方向への自然転動が遮断されて後、前記第１ポジションに切り替えられることで、抽選体の前記抽選体案内部の案内方向への自然転動が開始されて抽選が開始されることを特徴とする抽選装置。
【請求項３】
前記抽選体は、球体であり、
前記抽選体案内部は、
径の異なるリング部であって、隣接するリング部の平面視間隔が抽選体の半径よりも短い複数のリング部をすり鉢状に並行配置してなり、隣接するリング部を前記抽選体が周回軌道として周回し、遠心力の低下に応じて下段の周回軌道への落下・周回する周回軌道部と、
前記周回軌道部の上方から前記周回軌道部に向けて、周回方向に沿った方向に前記自然転動された抽選体を放出する放出部と、を備える
請求項１又は２に記載の抽選装置。
【請求項４】
請求項１〜３の何れか一項に記載の抽選装置と、
メダル落下口と、
多数のメダルと、傾斜によって自然転動する転動体である特別遊技媒体とを載置するメダル載置面を有するメダル載置部と、
前記メダル落下口に向けて前記メダル載置面に沿った往復運動を行い、前記メダル載置面上の載置物を押すプッシャー部と、
前記メダル落下口に落下した前記特別遊技媒体を検出する検出部と、
前記検出部の検出に応じて前記抽選装置による抽選を実行して、所定の特典付与処理を行う特典付与処理部と、
を備えたゲーム装置。
【発明の詳細な説明】
【技術分野】
【０００１】
本発明は、抽選装置等に関する。
【背景技術】
【０００２】
従来、メダルを遊技媒体として利用するプッシャー型とよばれるゲーム装置、所謂メダルゲーム装置が知られている。プッシャー型のメダルゲーム装置は、筐体の遊技空間に、前端がメダル落下口の上方に向かって延設された固定テーブルと、固定テーブル後方に設けられた筐体の挿通孔（出入口）から固定テーブルの上面を滑るようにして、上面に沿ってメダル落下口方向に前後動するプッシャーテーブルとが備えられている。そして、固定テーブルの上面並びにプッシャーテーブルの上面に、それら上面を概ね覆う程度に多数のメダルが載置される。プッシャーテーブルの前端は、固定テーブル上面との間に隙間がない、或いは、隙間があったとしてもメダル厚さよりも小さい隙間となるような形状を有しており、プッシャーテーブルの前端面で固定テーブル上に載置されたメダルを押すことができるようになっている。
【０００３】
遊技者が新たなメダルをゲーム装置に挿入すると、挿入されたメダルと同数のメダルが遊技空間に投入されてプッシャーテーブルの上面に載置される。プッシャーテーブルが固定テーブルに沿ってスライドしながら後進すると、プッシャーテーブルは筐体の挿通孔（出入口）に引っ込む格好になる。プッシャーテーブルの引き込みに伴って、プッシャーテーブルの上面後ろ側に載置されているメダルは挿通孔の端部に当たって相対的に前方に押されることになる。すると、プッシャーテーブルの上面に載置されていた他のメダルは次々に玉突き状に前方側に押され、プッシャーテーブルの前端側に載置されていたメダルが、プッシャーテーブルが後進してできた固定テーブルの上面の空き領域に落下する。
【０００４】
そして次に、プッシャーテーブルが固定テーブル上をスライドして前進すると、新たに固定テーブル上に落下したメダルがプッシャーテーブルの前端面によって前方に押される。すると今度は固定テーブルの上面に載置されたメダルが次々に連鎖的に前方側に押される格好となる。そして、載置されていたメダルの一部が固定テーブルの前端からメダル落下口に落下し、落下したメダルはメダル払出口から払い出される。
【０００５】
しかし、固定テーブルの前端には上方に屈曲した傾斜面が形成されており、この傾斜面を越えなければメダルはメダル落下口に落ちないようになっている。つまり、傾斜面がメダルの移動の抵抗となり、メダルが容易にメダル落下口に落下するのを抑制するように作用する。この傾斜面によって、例えば遊技者がメダルを一枚挿入したとして、新たに投入されたメダルによってプッシャーテーブル上から固定テーブルにメダルを落とし、さらに新たに固定テーブル上に落ちたメダルが既に固定テーブル上に載置されていたメダルを押したとしても、一枚のメダルも固定テーブルから落ちずに傾斜面で折り重なるようにして堆積するケースが生じる。ところが、メダルの堆積にも限界がある。したがって、固定テーブルに落下したメダルの位置如何によっては、プッシャーテーブルによって十分にメダルが堆積した部分を押し出し、たった一枚のメダルで大量のメダルを取得できる場合も起こり得る。つまり、メダルの堆積を発生させることよって「特別な幸運」を手に出来るチャンスを作り出している。
【０００６】
近年では、メダルとは別種の遊技媒体としてボールを固定テーブル上に供給するものも知られている（例えば、特許文献１を参照。）。こうしたメダルゲーム装置では、固定テーブル上に供給されたボールが固定テーブル上に載置されたメダルとともに運ばれてメダル落下口に落下すると、メダルと仕分けされて回収機構及び搬送機構によって抽選装置に搬送されて抽選の媒体とされる構成となっている。メダルとは形状の異なるボールを加えて視覚的に変化を持たせるとともに、このボールを抽選の媒体として抽選を実行することで、単にメダルをテーブルから落とすだけでは得られないより「特別な幸運」を手に出来るチャンスに富んだメダルゲームを実現している。
【特許文献１】特開２００２−２５３８４２号公報
【発明の開示】
【発明が解決しようとする課題】
【０００７】
特許文献１の抽選装置のように、遊技空間内をメダルとは別の媒体を移動させる演出は、遊技者を視覚的に楽しませる重要な要素となり、その良し悪しによって集客力を左右する。
【０００８】
本発明は、こうした事情を鑑みてなされたものであり、その目的とするところは、遊技空間内をメダルとは別の媒体を使用した従来に無い演出を実現し、より遊技性を高めることである。
【課題を解決するための手段】
【０００９】
上記の課題を解決するための第１の発明は、
内周側に抽選体の出入口を設けた抽選体収容室が環状に複数個連設された形状をなし、環状方向に回転可能に設けられた抽選体収容部（例えば、図４の環状抽選体収容部１０６）と、
前記抽選体収容部を回転運動させる回転駆動部（例えば、図４のステッピングモータ１１９、図１の制御ユニット５０）と、
前記回転運動によって、抽選体が収容された抽選体収容室の出入口が所定の投下位置に到来した際に、当該抽選体の当該出入口からの落下の防止及び許容を開閉状態によって切り替えるシャッター部（例えば、図６のステッピングモータ１５８、軸１６０、シャッター板１６２）と、
前記回転運動する前記抽選体収容部の内周面に沿って設けられ、前記投下位置以外での抽選体の落下を防止する落下防止部（例えば、図４の落下防止部１４０）と、
前記シャッター部が開状態とされて前記投下位置で落下された抽選体を自然転動させ、前記複数の抽選体収容室の内、前記投下位置より下方の所定の落下位置に位置した抽選体収容室へ案内する抽選体案内部（例えば、図４のガイドレール１７０、演出装置１０４）と、
前記抽選体案内部に案内され、前記落下位置に位置した際に抽選体が入った抽選体収容室を識別して抽選結果の判定処理を実行する抽選判定処理部（例えば、図１の制御ユニット５０、図４の通過センサ１１７、識別子読取装置１２４、図５の識別子１２２）と、
を備え、前記シャッター部が閉状態とされることで、前記回転運動によって、抽選体が入った抽選体収容室の展示がなされる抽選装置である。
【００１０】
第１の発明によれば、抽選体収容室が環状に複数個連設された抽選体収容部を回転させて、抽選体収容室に入っている抽選体を落下防止部で所定の投下位置まで転がり出ないようにしつつ持ち上げることができる。この投下位置にはシャッター部が設けられていて、抽選体が投下位置からの落下の防止及び許容を切り替えることができる。
そして、シャッター部を開状態として、抽選体収容室に入っていた抽選体を投下位置より落下させ、案内部によって投下位置より下方の所定の落下位置に位置した抽選体収容室へ案内し、抽選体が入った抽選体収容室を識別することで抽選するといった視覚的演出効果の高い抽選を実現することができる。また、シャッター部を閉状態として抽選体収容部を回転させることで、抽選体が入った抽選室を遊技者に展示するといった従来に無い抽選後の視覚的演出をも実現することができる。
【００１１】
第２の発明は、前記シャッター部が、抽選体と接触して移動を阻止する移動阻止部（例えば、図６のシャッター板１６２）を備え、
前記閉状態は、前記移動阻止部を前記回転運動する前記抽選体収容部の内周面側に向けて、抽選体が収容された抽選体収容室の出入口からの当該抽選体の落下を防止する位置に前記移動阻止部が位置した状態であり、
前記開状態は、前記抽選体案内部による案内方向への抽選体の自然転動を遮断させる位置に前記移動阻止部が位置した状態であり、
前記開状態から前記閉状態に切り替えることで、前記開状態において遮断されていた抽選体の前記抽選体案内部による案内方向への自然転動が開始されて抽選が開始されることを特徴とする第１の発明の抽選装置である。
【００１２】
第２の発明によれば、第１の発明と同様の効果を奏するとともに、抽選体が収容されている抽選体収容室の出入口から転がり出るのを防止するだけでなく、抽選体案内部による案内方向への抽選体の自然転動を遮断／開始することができる。つまり、抽選体を持ち上げた状態で抽選を実行させることなく一旦待機させておくことができる。そして、例えば抽選開始とともに待機させておいた抽選体の自然転動を開始させることで、よりスピーディーな抽選を演出すると言ったことが可能になる。
【００１３】
第３の発明は、前記抽選体は、球体であり、
前記抽選体案内部は、径の異なるリング部であって、隣接するリング部の平面視間隔が抽選体の半径よりも短い複数のリング部をすり鉢状に並行配置してなり、隣接するリング部を前記抽選体が周回軌道として周回し、遠心力の低下に応じて下段の周回軌道への落下・周回する周回軌道部（例えば、図４の演出装置１０４、図９の第１リング部１１１、第２リング部１１２、第３リング部１１３）と、
前記周回軌道部の上方から前記周回軌道部に向けて、周回方向に沿った方向に前記自然転動された抽選体を放出する放出部（例えば、図４のガイドレール１７０）と、を備える
第１又は第２の発明の抽選装置である。
【００１４】
第３の発明によれば、第１又は第２の発明と同様の効果を奏するとともに、放出部によって周回軌道の周回方向に付勢された抽選体が、周回軌道をぐるぐる回るうちにやがて勢いが低下して下段の周回軌道に落下し、落下した先の周回軌道で勢いが低下するまで再びぐるぐる回ることを繰り返しながらどんどん落下して行く従来に無い視覚的演出を案内部において実現することができる。
【００１５】
第４の発明は、第１〜第３の何れかの発明の抽選装置と、
メダル落下口（例えば、図１のメダル落下口４）と、
多数のメダルと、傾斜によって自然転動する転動体である特別遊技媒体とを載置するメダル載置面を有するメダル載置部（例えば、図１の固定テーブル６）と、
前記メダル落下口に向けて前記メダル載置面に沿った往復運動を行い、前記メダル載置面上の載置物を押すプッシャー部（例えば、図１のプッシャーテーブル８）と、
前記メダル落下口に落下した前記特別遊技媒体を検出する検出部（例えば、図３の通過センサ６２）と、
前記検出部の検出に応じて前記抽選装置による抽選を実行して、所定の特典付与処理を行う特典付与処理部（例えば、図１の制御部５０）と、を備えたゲーム装置である。
【００１６】
第４の発明によれば、第１〜第３の何れかの発明と同様の効果を奏するとともに、プッシャー型のメダルゲーム装置において、第１〜第３の何れかの発明と同様の視覚的演出を発現させながら抽選を実施し特典を付与することができるので、より遊技性を高めることができる。
【発明の効果】
【００１７】
本発明によれば、抽選体収容室が環状に複数個連設された抽選体収容部を回転させて、抽選体収容室に入っている抽選体を落下防止部で所定の投下位置まで転げ出ないようにしつつ持ち上げることができる。この投下位置にはシャッター部が設けられていて、抽選体が投下位置からの落下の防止及び許容を切り替えることができる。
これにより、シャッター部を開状態として、抽選体収容室に入っていた抽選体を投下位置より落下させ、案内部によって投下位置より下方の所定の落下位置に位置した抽選体収容室へ案内し、抽選体が入った抽選体収容室を識別することで抽選するといった視覚的演出効果の高い抽選を実現することができる。加えて、シャッター部を閉状態として抽選体収容部を回転させることで、抽選体が入った抽選室を遊技者に展示するといった従来に無い抽選後の視覚的演出をも実現することができる。
【発明を実施するための最良の形態】
【００１８】
〔第１実施形態〕
以下、第１実施形態として、本発明を適用した抽選装置を搭載したメダルゲーム装置を例に挙げて説明する。本実施形態において方向について述べる場合には、メダルゲーム装置にとっての前後・左右方向として説明する。
【００１９】
［メダルゲーム装置の構成］
図１は、本実施形態におけるメダルゲーム装置１０００の構成の一例を示す正面外観図である。同図に示すように、本実施形態におけるメダルゲーム装置１０００は、透明カバーガラス２で囲まれた遊技空間ＧＳを画成し、遊技空間ＧＳ内に前端がメダル落下口４の上方に向かって延設された固定テーブル６と、この固定テーブル６の上面に沿って延設されるとともにその上面に沿って周期的に往復動されるプッシャーテーブル８とを備えた、所謂「プッシャー型」と称されるメダルゲーム装置に分類される構成を有している。そして、遊技空間ＧＳの奥に抽選装置１００を備える。
【００２０】
通常は、遊技開始前にメダルゲーム装置１０００の管理人らによって固定テーブル６並びにプッシャーテーブル８の上面に多数のメダルＭが予め載置された状態から、遊技者はメダル投入器１０に新たなメダルＭを挿入して遊技する。
【００２１】
メダル投入器１０は、支柱１０ａによって所定角度範囲だけ左右方向に首振り自在に支持された投入ガイド部１０ｂを有する。投入ガイド部１０ｂは、例えばメダルＭを立てた状態で挿入可能な上向きに開口した溝を形成している。メダル投入器１０の手前側（＝支柱１０ａによる支持部側）は透明カバーガラス２より外側に在り、先端部が透明カバーガラス２に設けられた投入ガイド挿入口２ａを抜けてプッシャーテーブル８の前方上方に至るように配置されている。従って、メダル投入器１０の投入ガイド部１０ｂに挿入されたメダルＭは、投入ガイド部１０ｂの溝を転動して遊技空間ＧＳ内に案内・投入され、プッシャーテーブル８の上面に落下し転倒して載置される。
【００２２】
プッシャーテーブル８は、固定テーブル６上にスライド移動可能に載置されており、台座１０２内に設置された公知の往復動機構（不図示）によって、抽選装置１００が載置された台座１０２の下部に前方側に開口する挿通孔２８から出入りするように前後方向に周期的に往復運動する。
【００２３】
プッシャーテーブル８が、固定テーブル６上をスライドするようにして後進（退行）すると、その上面に載置されているメダルも載置されたまま一緒に後進する。プッシャーテーブル８が後進に伴って挿通孔２８に引き込まれると、後進した分だけプッシャーテーブル８の延出長が短くなり、プッシャーテーブル８の上面後方に載置されていたメダルが挿通孔２８の周縁に当って相対的に前方に押される格好になる。すると、プッシャーテーブル８に載置されていた他のメダルも玉突き状に連鎖的に前方へ押され、ついには前端側に載っているメダルが固定テーブル６上に落下する。
【００２４】
その後、プッシャーテーブル８の前進（押出動作）に伴ってその前方端面が押出部として機能し、固定テーブル６の上面に落下して固定テーブル６に載置されたメダルは前方に押される（プッシュされる。）。すると今度は、固定テーブル８に載置されているメダルが玉突き状に前方へ押される。
【００２５】
固定テーブル６の前端部には、上方に傾いた傾斜部９が設けられており、前方に押されるメダルはこの傾斜部９に沿って登ることとなり、その間、メダルＭは固定テーブル６の上面に対して傾斜姿勢となる。メダルＭが、更に前方に押されて傾斜部９の傾斜を乗り越えるに至るとメダル落下口４に落下する。
【００２６】
メダル落下口４の下部は、落下したメダルＭの通過を検出する通過センサ８４を備えた通路８２に連通している。通過センサ８４は、物体の通過を検出する手段であって、例えば投光素子と受光素子とが対向配置された遮光によって物体の通過を検出するセンサや、超音波の反射時間から距離を計測する距離センサなどによって実現できる。通過する物体に接触して揺動する揺動スイッチなどでも良い。
【００２７】
メダル落下口４に落下したメダルＭは、この通路８２を通ってメダル収容部１２に収容される。そして、該通路８２を通過する際に検出されたメダルＭと同数だけ、メダル収容部１２に収容されているメダルが公知の搬送機構（不図示）によって取得メダル払出口３０に搬送され、メダル受皿３２へ払い出される。
【００２８】
また、固定テーブル６は、前端すなわちメダル落下端部の横幅がプッシャーテーブル８の横幅よりも広く設定されており、プッシャーテーブル８の前進限界位置近傍から左右に拡幅する形状を成している。そして、拡幅部分の左右側壁部にそれぞれメダルＭのみが進入可能な側部メダル落下口１１が設けられており、その先はメダル落下口４とは別のメダル回収部（不図示）に連通している。この側部メダル落下口１１に落下したメダルＭは、メダル落下口４に落下したメダルＭとは異なり、別途回収される。
【００２９】
さて、本実施形態におけるメダルゲーム装置１０００は抽選装置１００を有し、抽選で特別ボーナスに当選すると、特典として取得メダル払出口３０から特典付与として所定枚数のメダルが払い出される。そして、本実施形態ではメダルＭとは別種の特別遊技媒体９０を用いて抽選開始のタイミングを決定する。
【００３０】
図２は、本実施形態における特別遊技媒体９０の一例を示す図である。図２（ａ）に示すように、特別遊技媒体９０は、光透過性の樹脂から形成された略球形の形状をした多面体であり、全高がメダルＭの厚さの２倍以上の長さの転動体である。特別遊技媒体９０は転動面全周が多数の三角形平面９２で覆われている。この三角形平面９２は、当該平面を接地面とした場合、水平から静止限界角度θlimまでの範囲の斜面に載置しても自重で転動を開始せずに静止した状態を維持するように設定されている。つまり、水平から静止限界角度θlimまでの範囲が、自然転動しない非転動傾斜角度範囲となる。
【００３１】
そして、本実施形態では、この静止限界角度θlimは、図２（ｂ）に示すように、固定テーブル６の傾斜部９によってメダルＭが傾斜した状態にされる傾斜面角度θｍよりも大きい。つまり、傾斜部９で堆積したメダルの上に特別遊技媒体９０を載置しても自然に転動しないように設定されている。勿論、特別遊技媒体９０が載置される面が静止限界角度θlimより大きい角度θｎを成している場合には、図２（ｃ）に示すように、傾斜面を自然と転動して下ることになる。
【００３２】
尚、特別遊技媒体９０の三角形平面９２の数は適宜設定することができる。また、平面形状も三角形に限るものではなく、五角形や六角形などその他の多角形でも良いし円でも良い。
【００３３】
こうして設定された特別遊技媒体９０を、本実施形態では図１に示すように、遊技空間ＧＳ内に設けた特別遊技媒体供給部６６からプッシャーテーブル８の上面に排出・供給する。特別遊技媒体供給部６６から排出された特別遊技媒体９０は、プッシャーテーブル８の上面に直接載るか、またはプッシャーテーブル８の上面に載置されていたメダルＭに載った状態となる。そして、特別遊技媒体９０がプッシャーテーブル８の前後動に伴って固定テーブル６に押し出され、さらに固定テーブル６からメダル落下口４に落下すると、落下した特別遊技媒体９０を検出して制御ユニット５０が抽選処理の実行を開始する。
【００３４】
制御ユニット５０には、ＣＰＵ（中央演算装置）５２やＩＣメモリ５４などの電子・電気部品が実装されており、ＩＣメモリ５４に予め記憶されていたプログラムに従ってＣＰＵ５２が各種演算処理を実行してメダルゲーム装置１０００の各部の制御を実行する。
抽選処理では、抽選装置１００による抽選を実行させて特別ボーナスに当選した場合には、抽選結果に応じてメダルの払い出し数を算出し、メダル収容部１２に収容されているメダルを取得メダル払出口３０から排出させるように制御する。
【００３５】
［特別遊技媒体の循環機構の説明］
図３は、本実施形態における特別遊技媒体９０の循環機構の概要を説明するための斜視透視図である。同図に示すように、本実施形態のメダルゲーム装置１０００は、特別遊技媒体の循環機構として、メダル落下口４に落下した特別遊技媒体９０とメダルＭとを仕分けし、特別遊技媒体９０のみを捕捉するストレーナ６０と、ストレーナ６０で捕捉された特別遊技媒体９０の通過を検出する通過センサ６２と、捕捉された後の特別遊技媒体９０を貯留するストック部６４と、ストック部６４に貯留されている特別遊技媒体９０を特別遊技媒体供給部６６に補充する補充部６８とを備える。
【００３６】
ストレーナ６０は、メダル落下口４内の左右に張られた３本のロッド６０ａ，６０ｂ，６０ｃによって形成されている。ストレーナ６０を前後の断面で見ると、３本のロッドは断面が下向き三角形を成すように配置されており、両サイドのロッド６０ａ，６０ｂとメダル落下口４との間隙及び両サイドのロッド６０ａ，６０ｂと中央のロッド６０ｃとの間隙は、メダルＭが通過するのには十分であるが特別遊技媒体９０が通過できない幅に設定されている。したがって、メダル落下口４にメダルＭと特別遊技媒体９０が落下すると、メダルＭはストレーナ６０をすり抜けて落下を続け、通路８２を経てメダル収容部１２に収容される。
【００３７】
一方、特別遊技媒体９０は、ストレーナ６０が形成する下向き三角形の樋で捕捉される。ストレーナ６０を正面から見ると特別遊技媒体９０の静止限界角度θlimより大きい角度で正面向かって右側（メダルゲーム装置１０００の左側）下がりの傾斜を成している。捕捉された特別遊技媒体９０はストレーナ６０内を正面向かって右方向に自然に転動し、固定テーブル６の正面向かって右下内部（メダルゲーム装置１０００の左下内部）に設けられたストック部６４に導かれる。
【００３８】
ストック部６４は、静止限界角度θlimより大きい角度で後方に向かって傾斜して形成された前後方向に長い箱状空間であり、ストック部６４内には所定数の特別遊技媒体９０が貯留されている。ストック部６４の傾斜下方側は、補充部６８につながっており、貯留されている特別遊技媒体９０が自然転動してストック部６４内を下ることによって常に補充部６８に特別遊技媒体９０が供給される。
【００３９】
また、ストック部６４の傾斜上流部分には、ストレーナ６０で捕捉されストック部６４に進入する特別遊技媒体９０の通過を検出する通過センサ６２が設けられている。通過センサ６２は、物体の通過を検出する手段であって、例えば投光素子と受光素子とを組み合わせ遮光によって物体の通過を検出するセンサや、超音波の反射時間から距離を計測する距離センサなどによって実現できる。或いは、転動する特別遊技媒体９０の力で揺動する揺動スイッチなどでも良い。そして、通過センサ６２の検出信号は制御ユニット５０に出力され、特別遊技媒体９０の通過を検出したことを契機にして制御ユニット５０が抽選処理を実行する。
【００４０】
補充部６８は、モータ６８ａによって駆動される偏心カム６８ｂと、上下方向に配置された直動器６８ｃのスライダに固定されて、偏心カム６８ｂの回転に伴って上下方向に往復動される特別遊技媒体プッシャー６８ｄと、特別遊技媒体９０の位置を保持する落下防止片６８ｅとを備えている。
【００４１】
モータ６８ａは、制御ユニット５０によって動作が制御され、例えば取得メダル払出口３０からのメダル払出枚数が所定枚数（例えば、１５枚）カウントされる都度動かされ、偏心カム６８ｂを一回転させる。
【００４２】
偏心カム６８ｂが最小リフトの状態では、特別遊技媒体プッシャー６８ｄの上面はストック部６４の底面とほとんど同じ高さ又はそれ以下の位置にあり、ストック部６４の傾斜によって自然転動した特別遊技媒体９０が特別遊技媒体プッシャー６８ｄ上に導かれる。
【００４３】
落下防止片６８ｅは、特別遊技媒体プッシャー６８ｄの左右の固定位置にそれぞれ設けられた弾性片であり、上端が特別遊技媒体プッシャー６８ｄの側に向けて屈曲しており、特別遊技媒体プッシャー６８ｄの上に導かれた特別遊技媒体９０の左右の位置ズレを抑制することができる。つまり、偏心カム６８ｂのリフトが増すと、特別遊技媒体プッシャー６８ｄは特別遊技媒体９０を上面に乗せたまま直動器６８ｃの設置方向（上下方向）に沿ってスライドし、特別遊技媒体９０を押し上げる。この際、特別遊技媒体９０の押し上げに伴って落下防止片６８ｅは各々外向きに押し広げられた格好となる。更に特別遊技媒体９０が押し上げられて落下防止片６８ｅの先端が特別遊技媒体９０の下面側に回ると、押し上げられていた先端が弾性によって元の姿勢に戻る。すると、左右双方の落下防止片６８ｅの先端部が互いに向き合うようにして閉じた格好となり、押し上げられた特別遊技媒体９０を下から支えて落下を防止するように機能する。尚、特別遊技媒体プッシャー６８ｄは、偏心カム６８ｂのリフトが減少すると自重によって下方に移動する。
【００４４】
特別遊技媒体プッシャー６８ｄの直上には、特別遊技媒体供給部６６の円筒通路６６ａの下端が配置されており、特別遊技媒体プッシャー６８ｄによって押し上げられた特別遊技媒体９０は円筒通路６６ａ内に挿入され、挿入された特別遊技媒体９０は落下防止片６８ｅによって落下が防止される。
【００４５】
円筒通路６６ａ内には、所定数の特別遊技媒体９０しか収容されないので、特別遊技媒体プッシャー６８ｄによって新たな特別遊技媒体９０が下から挿入されると、既に収容さていた特別遊技媒体９０が一つ上部開口端より外に押し出される。
【００４６】
特別遊技媒体供給部６６の上端、すなわち円筒通路６６ａの上端は、遊技空間ＧＳのプッシャーテーブル８の横に突出しており、その先端には円筒通路６６ａの開口端から押し上げられた特別遊技媒体９０をプッシャーテーブル８上に落下させるようにガイドする供給ガイド６６ｂが設けられている。したがって、収容されていた特別遊技媒体９０が上部開口端より外に押し出されると、供給ガイド６６ｂにガイドされながら転動・落下し、プッシャーテーブル８上に供給される。したがって、メダル挿入口１０から所定枚数だけメダルが挿入される都度、新たな特別遊技媒体９０がプッシャーテーブル８上に供給されることになる。
【００４７】
［抽選装置の構造］
次に、図４〜図８を参照しながら抽選装置１００について説明する。
図４は、本実施形態における抽選装置１００の構成例を示す正面外観図である。図５は環状抽選体収容部１０６の構成例を示す（ａ）縦断面図、（ｂ）側面図である。図６は、抽選装置１００の中央部分の上面図である。図７は、本実施形態における抽選装置１００の一部である抽選体待機室１５０の構成例を示す図であって図６のＤ−Ｄ断面図に相当する。図８は、抽選体待機室１５０の構成要素の一つであるシャッター板１６２の構成例を示す斜視図である。
【００４８】
図４、図５等に示すように、本実施形態における抽選装置１００は、（１）球体の抽選体１０７を収容することのできる抽選体収容室１２０を環状に備える環状抽選体収容部１０６と、（２）環状抽選体収容部１０６を立てた状態で挟持して水平軸周りに縦回転させる台座１０２と、（３）環状抽選体収容部１０６の抽選体収容室１２０に入っていた抽選体が所定の投下位置まで転がり出ないように防止する落下防止部である転出防止部１４０とを備える。
また、（４）転出防止部１４０の所定投下位置より転がり出た抽選体を一時収容する抽選体待機室１５０と、抽選体１０７の落下運動を利用して演出する（５）ガイドレール１７０及び（６）演出装置１０４とを備える。ガイドレール１７０及び演出装置１０４は、抽選体待機室１５０から排出された抽選体を該抽選体待機室より下方にある所定の落下位置まで案内する案内部に相当する。更に、（７）演出装置１０４から落下した抽選体が所定の落下位置において最下位置にある抽選体収容室１２０に転入することを検出する通過センサ１１７と、（８）最下位置にある抽選体収容室１２０を識別するための識別子読取装置１２４とを備える。
【００４９】
図５は環状抽選体収容部１０６の構成例を示す（ａ）縦断面図、（ｂ）側面図である。
同図に示すように、環状抽選体収容部１０６は全体として矩形断面を有した環状を成している。具体的には、環状の外周面１０６ａを両側から側壁部１０６ｂで挟んで画成された空間を、更に放射状に配置した隔壁１０６ｃによって抽選体１０７を収容可能な複数の抽選体収容室１２０に分割・画成している。各抽選体収容室１２０は、環状抽選体収容部１０６の内方（内周側）にのみ抽選体１０７が出入りできる大きさの開口部を有しており、抽選体収容室１２０の底部が外周面１０６ａによって形成されている。つまり、複数の抽選体収容室１２０が開口部を内周側に向けた姿勢で複数個環状に配置される格好となる。また、環状抽選体収容部１０６は全体が光透過性の樹脂材で形成されており、抽選体収容室１２０の中を外から見ることが出来るようになっている。
【００５０】
抽選体収容室１２０は、抽選体１０７が進入することで抽選結果を示す役割を担っており、それぞれ所定の抽選の結果（例えば、メダル１０枚、メダル１００枚といった特典付与、或いはハズレなど）が対応づけられている。例えば、抽選体収容室１２０の側壁部１０６ｂに抽選の結果を示すマーク（例えば図中の星印や王冠印）や文字がプリント或いは刻印されている。そして、抽選体収容室１２０それぞれの底面に対応する外周面１０６ａには、各抽選体収容室１２０に対応づけられた抽選結果を識別するための識別子１２２が設けられている。識別子１２２は、例えばバーコードや、ドットパターン、異なる色のマーカなどによって実現される。
【００５１】
図４に示すように、環状抽選体収容部１０６は、台座１０２の中央左右方向に穿かれた溝部内で外周面１０６ａに当接する下方支持ガイドローラ１０３ｂと、側壁部１０６ｂと当接する側面支持ガイドローラ１０３ｃと、外周面１０６ａに当接して接線方向に回転力を伝える駆動ガイドローラ１０３ｄと、によって転動自在に直立支持されて、水平軸周りに縦回動される。駆動ガイドローラ１０３ｄは、例えば制御ユニット５０によって回転制御されるステッピングモータ１１９の回転軸に連結されて正面向かって反時計周りに駆動する。環状抽選体収容部１０６は、この駆動ガイドローラ１０３ｄによって正面向かって時計回りにゆっくりと回動される。
【００５２】
また、台座１０２の下部には識別子読取装置１２４が設けられており、現在最下位置にある環状抽選体収容部１０６の識別子１２２を下方から読み取り、抽選体収容室１２０を識別することができる。識別子読取装置１２４は、例えば識別子１２２がバーコードならばバーコードリーダによって実現できる。そして、識別子読取装置１２４は、読み取った情報を制御ユニット５０に出力する。一方、制御ユニット５０には、識別子１２２に対応する抽選結果の情報が予めＩＣメモリ等に読み出し可能に記憶されており、識別子読取装置１２４から入力された情報と照合することによって、抽選結果を決定することができるようになっている。
【００５３】
尚、識別子１２２の設置位置は外周面１０６ａに限らず、側壁部１０６ｂや隔壁１０６ｃの内側の端面とするなど識別子読取装置１２４の設置スペースの都合などから適宜設定することができる。
【００５４】
図４及び図６に示すように、本実施形態では、環状抽選体収容部１０６には一つだけ予め抽選体１０７が収容されている。環状抽選体収容部１０６の回動に伴って抽選体収容室１２０が傾いて開口部（出入口）から収容されている抽選体１０７が転出しないように、環状抽選体収容部１０６の内周側には転出防止部１４０が設けられている。本実施形態では２本のロッドで抽選体収容室１２０の開口部前に柵を形成し抽選体１０７が転がり出て落下することを阻止する。
転出防止部１４０は、少なくとも２ヶ所については抽選体１０７が転がり出ることが可能な抽選体通過孔１４２を備える。本実施形態では環状抽選体収容部１０６の内周の上端部と下端部とにそれぞれ備えられている。
上端部の抽選体通過孔１４２は抽選装置１００における抽選体の所定落下位置に相当し、その直下には抽選体収容室１２０より転がり出て落下した抽選体を一時的にプールする抽選体待機室１５０が備えられている。
【００５５】
図４、図６及び図７に示すように、本実施形態における抽選体待機室１５０は、内部に抽選体１０７の収容空間を画成する立方体の待機室ケース１５２を備える。待機室ケース１５２の上面には、上端部の抽選体通過孔１４２から落下してくる抽選体１０７を内部に受け入れる受入口１５４を備える。内部空間の底面は、Ｖ字状の縦断面を有する傾斜面１５５（図４、図７参照）に形成されており、傾斜先の待機室ケース１５２の側面には出口１５６が開口している（図６参照）。
【００５６】
また、待機室ケース１５２の内部空間には、制御ユニット５０によって動作制御されるステッピングモータ１５８の回転軸１６０にシャッター板１６２が固定されている。
シャッター板１６２は、図８に示すように、回転軸１６０と嵌合固定される回転軸嵌合部１６２ａより外周方向に延設された腕部１６２ｂと、腕部１６２ｂの外側端からＬ字状に屈曲して回転軸１６０の軸方向に延設された遮断板１６２ｃとを備える。そして、本実施形態では、ステッピングモータ１５８を回動させることで、遮断板１６２ｃの板面が横倒しになって受入口１５４の直下でこれを塞ぐ第１ポジション（図７の状態）と、遮断板１６２ｃの板面が縦になって出口１５６を塞ぐ第２ポジション（図４及び図６の状態）とを採ることができる。
【００５７】
さて、抽選体待機室１５０の排出口１５６には、ガイドレール１７０の上端側が連結されている。ガイドレール１７０は、樋のようにして抽選体１０７をガイドし、移動速度を高めつつ演出装置１０４の所定位置へ導く。本実施形態では、断面逆三角形の頂点位置にステンレスの線状材のレール１７１，１７２，１７３が配置されて形成され、全体として環状抽選体収容部１０６の内側の空間において下方に向かって大きな螺旋を描くように配置されている。
【００５８】
そして、図４及び図６に示すように、螺旋の最外周ラインを成すレール１７１は、環状抽選体収容部１０６の内側の空間下方に配置された演出装置１０４の最上部の第１リング部１１１の上面に接するようにして斜めに連結されている。また、螺旋の外側から２番目のラインをなすレール１７２は、レール１７１と第１リング部との連結位置よりも手前で同様に第１リング部１１１の上面に接するようにして斜めに連結されている。
【００５９】
図９は、本実施形態における演出装置１０４の構成例を示す（ａ）上面図、（ｂ）縦断面図である。同図に示すように、演出装置１０４は、抽選体待機室１５０から排出されたガイドレール１７０で移動速度を増しながら転動してきた抽選体１０７を受け、その内周を旋回させながら落下させることによって視覚的演出を実現する装置である。
具体的には、上面視（平面視）同心円状を成して段違いに並行配置された第１リング部１１１、第２リング部１１２、第３リング部１１３の３つの異径リングを備える。最上部の第１リング部１１１が最も大径であり、第２リング部１１２、第３リング部１１３の順に下方へ向かうほど小径となるように設定されている。第１リング部１１１、第２リング部１１２、第３リング部１１３の各リング部の成す面は、いずれも水平となるようにして段違いの層状を成し、且つリングの中心を軸ＡＸ１に合わせに配置される。すなわち、平面視すると略同心円状の入れ子構造で、側面視すると複数のリング部がすり鉢状に並行配置されている。これらのリング部は、例えば金属製の楕円（勿論、円であってもよい。）断面の針金を環状に繋ぐ方法や円管を細切りする方法で形成され、各リング部の外側面が転出防止部１４０に固定された支柱１１１ａに連結されている（図４参照）。
【００６０】
また、隣接するリング部間の水平方向の間隔つまり上から見た平面視間隔は、抽選体１０７の半径ｒよりも小さく設定されており、隣接するリング部間の実際の間隔は抽選体１０７の直径よりも小さく設定されている。
【００６１】
こうした構成によって、上下に隣接するリング部は、抽選体１０７をリング部の内側に沿って一定以上の速度で移動させた場合に、内周側に沿って抽選体１０７が周回し得る一つの周回軌道を形成することになる。より具体的には、第１リング部１１１と第２リング部１１２の組み合わせの場合、第１リング部１１１が軸ＡＸ１周りに旋回・周回する抽選体１０７の側方を支持し、第２リング部１１２が抽選体の下方を支える第１周回軌道となる。
同様に、第２リング部１１２と第３リング部１１３とで第１周回軌道よりも半径が小さい第２周回軌道を形成する。つまり、演出装置１０４は、隣接するリング部を周回軌道として抽選体１０７が周回し、遠心力の低下に応じて下段の周回軌道へ落下・周回する周回軌道部としての機能を奏する。従って、ガイドレール１７０は、抽選体１０７を演出装置１０４の第１リング部１１１及び第２リング部１１２からなる第１周回軌道の周回方向へ抽選体１０７を放出する役割を担っている。
【００６２】
さて、図４に示すように、環状抽選体収容部１０６の内側空間下部、第３リング部１１３の下方にあたる位置には、第３リング部１１３から落下した抽選体１０７を転出防止部１４０の下端部に設けられたもう一つの抽選体通過孔１４３に導くすり鉢状の抽選体受皿１７４が設けられている。
また、転出防止部１４０の下端部に設けられた抽選体通過孔１４３は、抽選装置１００における抽選体１０７の落下位置に該当する。抽選体通過孔１４３は通過センサ１１７が設けられており、抽選体１０７の通過を検出することができる。通過センサ１１７の検出信号は、個体識別可能に制御ユニット５０へ出力される。つまり、制御ユニット５０は、通過センサ１１７から検出信号が入力されたことによって、現在最下位置にある抽選体収容室１２０に抽選体１０７が入ったことを知ることができる。前述のように抽選体収容室１２０はそれぞれ抽選結果に対応づけられている。従って、制御ユニット５０は抽選結果を判定することができる。
【００６３】
［動作の説明］
図１０は、本実施形態におけるメダルゲーム装置１０００並びに抽選装置１００の動作について説明する為のフローチャートである。
同図に示すように、メダルゲーム装置１０００が起動されると、制御ユニット５０は、台座１０２内に設置された公知の往復動機構（不図示）を作動させて、プッシャーテーブル８の常時往復動を開始する（ステップＳ２）。
次に、制御ユニット５０は、ステッピングモータ１５８を制御してシャッター板１６２を、出口１５６を塞ぐ第２ポジションにし（ステップＳ４）、モータ１１９を駆動して環状抽選体収容部１０６を水平軸周りに回動させつづける（ステップＳ６）。この結果、環状抽選体収容部１０６の何れかの抽選体収容室１２０に入れられていた抽選体１０７は、その抽選体収容室１２０が頂部に達すると自然と転がり出て落下し、抽選体通過孔１４２を通過して抽選体待機室１５０内へ入った状態となる。抽選体待機室１５０へ入った抽選体１０７はシャッター板１６２によってガイドレール１７０の案内方向への自然転動が遮断されてそこにとどまる。
【００６４】
遊技が進行して、特別遊技媒体９０がメダル落下口４に落下すると、ストレーナ６０で捕捉されてストック部６４に案内される過程で通過センサ６２の前を通過し検出される。通過センサ６２で通過を検出したならば（ステップＳ８のＹＥＳ）、制御ユニット５０は抽選処理を実行する（ステップＳ１０〜Ｓ１４）。
【００６５】
抽選処理では先ず、制御ユニット５０はステッピングモータ１５８を制御してシャッター板１６２を、受入口１５４を塞ぐ第１ポジションにする（ステップＳ１０）。すると、抽選体待機室１５０に収容されていた抽選体１０７をガイドレール１７０へ排出されガイドレール１７０に沿って自然転動しながら落下し演出装置１０４へ案内される。
【００６６】
図１１は、本実施形態における演出装置１０４を落下する抽選体１０７の様子を説明するための斜視概念図である。尚、第１リング部１１１〜第３リング部１１３は簡略表記している。
図１１（ａ）に示すように、抽選体１０７は、加速しながらガイドレール１７０の傾斜を転がり第１リング部１１１と第２リング部１１２とから成る第１周回軌道上へ、第１リング部１１１に側部を内接し、第２リング部１１２に下側部を当接させるようにして進入する（１０７ａ〜１０７ｂ）。
【００６７】
第１周回軌道に進入したばかりの抽選体１０７は速度が十分高く、遠心力と重力との合力は、第１リング部１１１と第２リング部１１２との間隙方向を向き、抽選体１０７の重心位置（＝球体の中心位置）が第２リング部１１２との接触位置よりも内側にあるにもかかわらず、抽選体１０７は第１周回軌道の内面を周回運動する（１０７ｂ〜１０７ｃ〜１０７ｄ〜１０７ｂ）。
【００６８】
周回運動する抽選体１０７は、リング部との摩擦等の要因で徐々に減速する。それに伴って遠心力と重力との合力は、徐々に第２リング部１１２方向へ向きを変える。そして、合力の方向がついに第２リング部１１２に向くに至ると（或いは第２リング部１１２の極近くを指すに至ると）、図１１（ｂ）に示すように、抽選体１０７は第２リング部１１２の内側、つまり第２リング部１１２と第３リング部１１３とで形成する第２周回軌道に転落する（１０７ｅ〜１０７ｆ）。
【００６９】
抽選体１０７は速度が低下して第２周回軌道に転落するのであるが、第２周回軌道は第１周回軌道よりも半径が小さい。従って、第１周回軌道から転落する程に減速していても、第２周回軌道においては遠心力と重力との合力は第２リング部１１２と第３リング部１１３との間隙を向き、結果として抽選体１０７は第２周回軌道を周回することになる（１０７ｆ〜１０７ｇ〜１０７ｆ）。
そして、図１１（ｃ）に示すように、第２周回軌道を周回する抽選体１０７もやがて減速し第１周回軌道から転落したのと同様にして今度は第２周回軌道から落下する（１０７ｇ〜１０７ｊ）。
【００７０】
つまり、抽選装置１００では、第１リング部１１１〜第３リング部１１３からなる周回軌道部へ上方より抽選体１０７を供給し、中央最下段に搬送する球体搬送装置として機能する。そして、抽選体１０７が、搬送される過程において段違いのループ（第１リング部１１１〜第３リング部１１３）内を周回しつつ、ある程度時間が経過して遠心力の低下に応じて断続的に下方へ転落することを繰り返しながら中央最下段に搬送させるといった従来に無い動きを見せる。
よって、本実施形態における演出装置１０４、及びこれを含む抽選装置１００では、段階的・断続的に落下する過程を有するので視覚的に変化が生じ、より興趣性が高くなり、見る者を楽しませることができる。
【００７１】
また、本実施形態における演出装置１０４によれば、抽選体１０７が段違いのループ内を周回しつつ断続的に下方へ落下する過程において様々な不確定要素の影響を受ける。具体的には、例えば、（１）抽選体１０７そのものが僅かではあるが重量や径、表面の凹凸などのバラツキがあること、（２）放出ガイド１３２と抽選体１０７との接触具合によって傾斜を下る過程での加速にバラツキや落下方向に差が生じること、（３）前述のように各リング部は近傍に支柱が固定されている部分と支柱間部分とが存在するが、抽選体１０７が上方のリング部から下方のリング部に落下する際に、前者の部分に落下する場合と後者の部分に落下する場合とでは、該当部分の撓み加減による弾みが異なるために速度に変化が生じること、などが挙げられる。その結果、第１リング部１１１に落下してから第３リング部１１３を落下するまでの時間や落下する位置にバラツキが生じるので、抽選としてのランダム性が増すことができる。
【００７２】
さて、図１０のフローに戻って、第２周回軌道から転落した抽選体１０７は、第３リング部１１３の下方に設けられた抽選体受皿１７４内に落下し、そのすり鉢状の内面を落下して抽選体通過孔１４３を通って、そのとき最下位置にあった環状抽選体収容部１０６の抽選体収容室１２０へ入る。その過程で、通過センサ１１７は抽選体１０７の通過を検知する。制御ユニット５０は、通過センサ１１７で抽選体１０７の通過を検知したならば、つまり抽選体１０７が抽選体収容室１２０への進入を検知したならば（ステップＳ１２）、識別子読取装置１２４で最下位置の抽選体収容室１２０を識別し抽選結果を判定する（ステップＳ１４）。
【００７３】
抽選処理を実行したならば、制御ユニット５０は展示処理を実行する。
すなわち、台座１０２の下部中央には、最下位置にある抽選体収容室１２０の様子を見ることができる開口部１２６（図４参照）が設けられており遊技者がこれを視認することもできるが、本実施形態では更に、制御ユニット５０がシャッター板１６２で受入口１５４を塞いだ第１ポジションにしたまま、環状抽選体収容部１０６を所定数だけ回転させて、どの抽選体収容室１２０に抽選体１０７が入ったかを遊技者に展示する（ステップＳ１６）。これによって、抽選の結果をより派手に見せることができる。
【００７４】
環状抽選体収容部１０６を所定数だけ回転させたならば、制御ユニット５０は抽選体１０７の入った抽選体収容室１２０を最下位置に固定して（ステップＳ１８）、先に判定した抽選結果に応じた枚数のメダルを取得メダル払出口３０より払出させる（ステップＳ２０）。そして、払出制御を実行したならば、制御ユニット５０はステッピングモータ１５８を制御してシャッター板１６２を再び出口１５８を閉じた第２ポジションとし（ステップＳ２２）、モータ１１９を駆動させて環状抽選体収容部１０６を常時回転状態とする（ステップＳ２４）。この結果、抽選体１０７が入っている抽選体収容室１２０が上端の抽選体通過孔１４２を通過する際に再び抽選体１０７を抽選体待機室１５０に入れて次の抽選に備える。
よって、本実施形態によれば、より趣向を凝らした抽選演出を実現することができる。
【００７５】
［変形例］
以上、本発明を適用した実施形態について説明したが、発明の主旨を逸脱しない限りにおいて適宜構成の追加・省略・変更を行うことができる。
【００７６】
例えば、演出装置１０４のリング部の数は第１リング部１１１〜第３リング部１１３の３本に限らず適宜増減して周回軌道を増減させることができる。また、リング部の形状は真円に限らず楕円とすることができる。但し、抽選体１０７には遠心力が作用し続ける必要があるので、直線部分を円弧で結んだ所謂「長穴」形状は適さない。
【００７７】
また、上記実施形態では、転出防止部１４０による抽選体１０７の落下（転がり出ること）を防止する箇所を上端部の抽選体通過孔１４２と下端部の抽選体通過孔１４３の２ヶ所としたが、更に多くすることもできる。
例えば、図１２に示す抽選装置１００Ｂのように、上端の他に環状抽選体収容部１０６の側部（例えば、正面向かって９時半位置）に抽選体通過孔１４４を設け、抽選体待機室１５０Ｂとガイドレール１７０Ｂを追加する構成とすることができる。この場合、抽選体１０７の待機数を増加させ連続的に抽選を実行できるようになる。また、抽選体待機室１５０と抽選体待機室１５０Ｂとで配置高さが異なることで、抽選体１０７が演出装置１０４に到達するまでの時間や到達時のスピードが異なる。よって、抽選演出に多様性を持たせることができる。
【００７８】
また、上記実施形態では抽選に備えて予め抽選体待機室１５０に抽選体１０７を収容しておく構成としたが、遊技開始の初期状態として環状抽選体収容部１０６の最下位置の抽選体収容室１２０に抽選体１０７が入れられていることを前提として、抽選処理の開始の都度、抽選体待機室１５０に抽選体１０７を移動させる構成としても良い。
【００７９】
具体的には、図１３に示すように、制御ユニット５０はプッシャーテーブル８の常時往復動を開始して（ステップＳ２）、シャッター板１６２を抽選体待機室１５０の受入口１５４を塞いだ第１ポジションにして（ステップＳ５）、モータ１１９を作動させて環状抽選体収容部１０６の水平軸周りの回転運動を開始させる（ステップＳ６）。
そして、特別遊技媒体９０がメダル落下口４内に落下したことを検出したならば（ステップＳ８のＹＥＳ）、制御ユニット５０はシャッター板１６２を第２ポジションにして抽選体待機室１５０の受入口１５４を開け、環状抽選体収容部１０６が少なくとも１回転するのに十分な所定時間経過後にシャッター板１６２を再び第１ポジションに戻す（ステップＳ９）。この間、環状抽選体収容部１０６が少なくとも１回転する間に抽選体収容室１２０に入っていた抽選体１０７は上端部の抽選体通過孔１４２から受入口１５４を通って抽選体待機室１５０に入り、シャッター板１６２が再び第１ポジションに戻ることで出口１５６が開いてガイドレール１７０へ排出されることになる。
【００８０】
そして、下端部の抽選体通過孔１４３を抽選体１０７が通過し、最下位置の抽選体収容室１２０へ再び入ったことを検知したならば（ステップＳ１２）、制御ユニット５０は第１実施形態と同様に抽選結果を判定し、抽選体収容室の展示を実行して特典としてメダルの払出を実行する（ステップＳ１２〜Ｓ２０）。
【００８１】
このように、抽選の開始段階において抽選体１０７を抽選体待機室１５０に移動させる段階から演出要素に含める構成とすることで、抽選開始前の高揚感を演出することができる。
【００８２】
また、第２ポジションとして、遮断板１６２ｃの板面を縦にして出口１５６を塞ぐポジション（図４又は図６の状態）として説明したが、遮断板１６２ｃの板面を縦にして出口１５６とは反対側に位置し、受入口１５４及び出口１５６双方を塞がないポジションとしてもよい。このようにして、図１３の処理を実行することとしてもよい。この場合には、抽選体待機室１５０は、待機室としての機能ではなく、ガイドレール１７０に沿って転落する抽選体１０７の初期姿勢をサポートする転落開始姿勢サポート部として機能することとなる。
【００８３】
また、抽選体受皿１７４の内面は平滑に限らず、例えば図１４に示すように、内面に溝１７４ａや突起１７ｂｂなどを設けることができる。演出装置１０４から抽選体受皿１７４に落下した抽選体１０７は螺旋を描きながらやがて落下口１７４ｃへ落下するが、溝１７４ａに当たり、或いは突起１７４ｂを乗り越えるときに移動方向が変化する。よって抽選体受皿１７４内での抽選体１０７の落下に変化を与えて抽選の多様性を増すとともに、より視覚的演出効果を高めることができる。
【図面の簡単な説明】
【００８４】
【図１】第１実施形態におけるメダルゲーム装置の構成の一例を示す正面外観図。
【図２】特別遊技媒体の一例を示す図。
【図３】特別遊技媒体の循環機構の概要を説明するための斜視透視図。
【図４】抽選装置の構成例を示す正面外観図。
【図５】抽選装置の上面視断面図。
【図６】抽選装置の一部である演出装置の構成例を示す図。
【図７】抽選部の構成例を示す図。
【図８】第１実施形態における演出装置を落下する抽選体の様子を説明するための斜視概念図。
【図９】第１実施形態における演出装置の側端部の拡大断面図。
【図１０】演出装置の第１の変形例を示す図。
【図１１】演出装置の第２の変形例を示す図。
【図１２】演出装置の第３の変形例を示す図。
【図１３】演出装置の第４の変形例を示す図。
【図１４】抽選体受皿の変形例を示す図。
【符号の説明】
【００８５】
１００  抽選装置
１０４  演出装置
１０６  環状抽選体収容部
１０７  抽選体
１１１  第１リング部
１１２  第２リング部
１１３  第３リング部
１１４  第４リング部
１１５  抽選体落下孔
１１６  昇降機構
１１８  併進機構
１２０  抽選体収容室
１２２  識別子
１２４  識別子読取装置
１３０  貯留部
１３２  放出ガイド
１３４  押出機構
１０００  メダルゲーム装置
Ｍ  メダル
【図７】
0004970203.tif 000002
【図８】
0004970203.tif 000003
【図１０】
0004970203.tif 000004
【図１３】
0004970203.tif 000005
【図１４】
0004970203.tif 000006
【図１】
0004970203.tif 000007
【図２】
0004970203.tif 000008
【図３】
0004970203.tif 000009
【図４】
0004970203.tif 000010
【図５】
0004970203.tif 000011
【図６】
0004970203.tif 000012
【図９】
0004970203.tif 000013
【図１１】
0004970203.tif 000014
【図１２】
0004970203.tif 000015